(57)【要約】【課題】或るセンサ保持部のセンサ装着方向が他のセンサ保持部のセンサ装着方向に対し斜め姿勢となるセンサホルダであって射出成型で容易に成型できるセンサホルダで保持された複数の不正検出用センサが備えられた遊技機を提供する。【解決手段】互いのセンサ装着方向が斜めに交差するセンサ保持部の一方１７３ｃにおいて、他方のセンサ保持部のセンサ装着方向（第１方向）に沿って移動する両金型１３０ａ、１３０ｂの移動方向ｃ、ｄに交差する部位（第２方向係止部１１２ａ、直行方向係止部１１２ｂ、当接部１１４、１２１、１３６）からセンサホルダ１７３の第１方向での端部位置までに亘って、第１方向に沿って障害物のない連通空間を形成し、左右から移動して来て締めつける金型１３０ａ、１３０ｂの成形用凸部１２１ｋ、１３６ｋ、１１４ｋとが連通空間を通ってそれら部位にまで到達できるようにした。【選択図】図１４
2016140705.tif 000002
【特許請求の範囲】
【請求項１】
遊技盤上の遊技領域内の所定部位を通過した遊技球を検出可能な近接センサを備えると共に、前記近接センサの誤作動を引き起こす電波を検知可能な電波センサと、遊技球を磁石で誘導する不正行為を検出するための磁気センサとの、少なくとも一方を含む不正検出用センサを備えた遊技機において、
前記不正検出用センサは、第１不正検出用センサと第２不正検出用センサとを含む複数の不正検出用センサがセンサホルダに装着されて所定の取付部位に取付けられ、
前記センサホルダは、
前記第１不正検出用センサを第１方向に向けて保持する第１保持部と、
前記第２不正検出用センサを前記第１方向に対し斜めの第２方向に向けて保持する第２保持部と、を有し、
前記第１保持部および前記第２保持部共に、前記第１方向と交差する部位から前記センサホルダの前記第１方向での端部位置までに亘って、前記第１方向に沿って障害物のない連通空間が形成されていることを特徴とする遊技機。
【請求項２】
前記第１方向と交差する部位は、前記第１不正検出用センサを装着した状態で係止保持する第１係止部と前記第２不正検出用センサを装着した状態で係止保持する第２係止部とを含むことを特徴とする請求項１に記載の遊技機。
【請求項３】
前記第２係止部は、前記第２不正検出用センサの前記第２方向への移動を阻止する第２方向係止部と、前記第２不正検出用センサの前記第２方向と直行する方向への移動を阻止する直行方向係止部とを有することを特徴とする請求項１又は２に記載の遊技機。
【請求項４】
前記第１不正検出用センサは、形状の対称性をなくするための非対称部位を有し、
前記第１保持部は、前記非対称部位に合致する形状の合致部位を有し、前記非対称部位が前記合致部位に合致しなければ前記第１不正検出用センサを保持できないように構成することにより、前記第１不正検出用センサの前記第１保持部への装着保持姿勢を予め定められた一姿勢に限定することを特徴とする請求項１〜３のいずれかに記載の遊技機。
【請求項５】
前記第２不正検出用センサは、形状の対称性をなくする非対称部位を有し、
前記第２保持部は、前記非対称部位に合致する形状の合致部位を有し、前記非対称部位が前記合致部位に合致しなければ前記第２不正検出用センサを保持できないように構成することにより、前記第２不正検出用センサの前記第２保持部への装着保持姿勢を予め定められた一姿勢に限定することを特徴とする請求項１〜４のいずれかに記載の遊技機。
【発明の詳細な説明】
【技術分野】
【０００１】
本発明は、例えば、不正に利益を得る目的で近接センサ等を誤動作させるために照射される電波を検出する電波センサと、遊技領域に打込まれた遊技球を磁石で誘導する不正行為を検出するための磁気センサとを備えた遊技機に関するものである。
【背景技術】
【０００２】
パチンコ機等の遊技機では、遊技領域内に配置された入賞口やゲートに対応して、それら入賞口に入賞し又はゲートを通過した遊技球を検出する例えば貫通型の近接センサが設けられており、この近接センサが遊技球を検出することに基づいて、所定個数の賞球の払い出し、図柄抽選遊技の開始等、遊技者に有利な状態が発生するようになっている。この貫通型の近接センサは、正規の遊技球が１個通過可能な検出孔を備え、高周波発振回路を構成するリング状の検出コイルがその検出孔を取り囲むように内蔵されており、遊技球が検出孔を通過する際の検出コイルのインピーダンス変化により、非接触でその遊技球の通過を検出可能となっている。
【０００３】
ところで、近年ではこの近接センサに強力な電波を照射して誤作動させることによる不正行為が問題となっている。例えば「大玉ゴト」と呼ばれる不正行為の手口は次のようなものである。即ち、正規の遊技球よりも若干大きめの鉄球（以下、不正球という）を皿に投入して正規の遊技球と同様に発射して所定の入賞口に入賞させ、その入賞口に設けられた近接センサの検出孔に停留させてその近接センサを常時検出状態にする。そして、その不正球を停留させた近接センサに対して遊技機外から特定周波数の強力な電波を照射し、断続的に非検出状態となるようにその近接センサを誤作動させることにより、遊技球が連続的に入賞した場合と同様の検出状態を作り出すというものである。
【０００４】
また、係る遊技機においては、鉄製の遊技球を磁石等により始動入賞口又は大入賞口に誘導する不正が従来から行われる虞があった。
【０００５】
そこで、上記電波を用いた「大玉ゴト」のような不正行為および磁石を用いた不正行為に対する対策として、近接センサに向けて照射された電波を検知可能な電波センサと、磁石が発生する磁気を検出する磁気センサとが、センサホルダに装着されたセンサ装置を遊技盤等に配置して監視することが考えられる（特許文献１）。
【先行技術文献】
【特許文献】
【０００６】
【特許文献１】特開２０１３−１４６３９４号公報
【発明の概要】
【発明が解決しようとする課題】
【０００７】
一方、パチンコ機等の遊技盤には入賞球装置を駆動するためのソレノイドなどの磁気発生源が設けられており、その磁気発生源近くに磁気センサを設けた場合にはその磁気発生源から発生した磁気の影響で磁気センサが誤検出してしまう虞がある。ゆえに、磁気発生源を避けた位置に磁気センサを設けるのが望ましい。
【０００８】
また、磁石による不正入賞の対象として狙われやすい入賞口は始動入賞口である。遊技球を始動入賞口に誘導して入賞させて可変表示装置を変動表示させるという不正行為が多く行われている。ゆえに、磁気センサは、特に始動入賞口近辺をカバーできるように設けるのが望ましく、遊技盤の盤面構成応じて、上記磁気発生源を避けた位置から特に始動入賞口を狙ってカバーできる斜め姿勢で設けるのが望ましい場合も生じる。また、磁気センサは、遊技盤に対し垂直に設けるよりも斜めに設けた方が磁気検出エリアが広くなる傾向がある。
【０００９】
その結果、例えば、センサホルダは、電波センサ用の保持部に対し磁気センサ用の保持部が斜めの姿勢となるものも必要となる。
【００１０】
一方、センサ装置は、そのセンサホルダを樹脂の射出成型で製造する場合には以下の工程を経て成型される。
（１）両金型を合わせて締める型締め工程
（２）加熱溶融した樹脂等の材料を金型内に射出注入する射出工程
（３）圧力を加えて材料を金型内に押し込む保圧工程
（４）溶融した材料を冷却する冷却工程
（５）両金型を開く型開き工程
（６）製品の取り出し工程
上記或るセンサ保持部が他のセンサ保持部に対し斜め姿勢となるセンサホルダであっても、前述した一連の射出成型の工程を経て容易に製造できることが望ましい。
【００１１】
つまり、電波センサおよび磁気センサの少なくとも一方を含む不正検出用センサが複数保持されるセンサホルダにおいて、或るセンサ保持部が他のセンサ保持部に対し斜め姿勢となるセンサホルダであっても、射出成型により容易に製造できることが望ましい。
【００１２】
しかし、或るセンサ保持部が他のセンサ保持部に対し斜め姿勢となるセンサホルダの場合、各センサ保持部によるセンサを装着する向き（センサ装着方向）が斜めに交差する状態となる。その結果、射出成型時に、一方のセンサ保持部のセンサ装着方向に沿って両金型を移動させた場合には、そのセンサ保持部はセンサ装着方向に沿って金型の成型用凸部が進入するために、従前通りの形状で簡単に射出成型が可能である。例えば、一般的なセンサ保持部の場合、不正検出用センサの形状に合わせた箱状のセンサ保持部に弾性変形可能な係止部を形成し、不正検出用センサをセンサ装着方向に沿って押し込み、押し込み端部まで押し込んだところで係止部の鉤状部により不正検出用センサの端部が係止保持されるように構成されている。この係止部の係止により、不正検出用センサのセンサ装着方向への抜け止めが可能となる。このようなセンサ保持部の場合、係止部の鉤状部がそのセンサ装着方向と交差する部位となり、射出成型時に金型の成型用凸部がその交差する部位にまで達する必要があるが、センサ装着方向と両金型の移動方向とが一致しているため、無理なく成型できる。
【００１３】
しかし、他方のセンサ保持部の場合には、センサ装着方向と両金型が移動する方向とが斜めに交差する状態となるために、金型の成型用凸部がセンサ装着方向に対し斜めに進入することとなり、構造上工夫が必要となる。
【００１４】
本発明は上記事情に鑑みてなされたものであり、射出成型で容易に成型できるセンサホルダが備えられた遊技機を提供することを目的とする。
【課題を解決するための手段】
【００１５】
本発明は、遊技盤１５上の遊技領域１７内の所定部位を通過した遊技球を検出可能な近接センサ２０ａ，２１ａ，４４，４８ａ，４８ｂ，９９ａ，９９ｂ，９５，９８を備えると共に、前記近接センサの誤作動を引き起こす電波を検知可能な電波センサ１７２と、遊技球を磁石で誘導する不正行為を検出するための磁気センサ１７１との、少なくとも一方を含む不正検出用センサを備えた遊技機において、
前記不正検出用センサは、第１不正検出用センサと第２不正検出用センサとを含む複数の不正検出用センサがセンサホルダ１７３に装着されて所定の取付部位１１９ａに取付けられ、
前記センサホルダ１７３は、
前記第１不正検出用センサを第１方向ａに向けて保持する第１保持部１７３ｂと、
前記第２不正検出用センサを前記第１方向に対し斜めの第２方向ｂに向けて保持する第２保持部１７３ｃと、を有し、
前記第１保持部１７３ｂおよび前記第２保持部１７３ｃ共に、前記第１方向ａと交差する部位１２１、１３６、１１２ａ、１１２ａから前記センサホルダ１７３の前記第１方向ａでの端部位置までに亘って、前記第１方向ａに沿って障害物のない連通空間が形成されている。
また、前記第１方向ａと交差する部位は、前記第１不正検出用センサを装着した状態で係止保持する第１係止部１１０と前記第２不正検出用センサを装着した状態で係止保持する第２係止部１１２とを含んでもよい。
また、前記第２係止部１１２は、前記第２不正検出用センサの前記第２方向ｂへの移動を阻止する第２方向係止部１１２ａと、前記第２不正検出用センサの前記第２方向ｂと直行する方向への移動を阻止する直行方向係止部１１２ｂとを有してもよい。
また、前記第１不正検出用センサは、形状の対称性をなくするための非対称部位１２２を有し、
前記第１保持部１７３ｂは、前記非対称部位１２２に合致する形状の合致部位１２８を有し、前記非対称部位１２２が前記合致部位１２８に合致しなければ前記第１不正検出用センサを保持できないように構成することにより、前記第１不正検出用センサの前記第１保持部１７３ｂへの装着保持姿勢を予め定められた一姿勢に限定してもよい。
また、前記第２不正検出用センサは、形状の対称性をなくする非対称部位１２４を有し、
前記第２保持部１７３ｃは、前記非対称部位１２４に合致する形状の合致部位１１８を有し、前記非対称部位１２４が前記合致部位１１８に合致しなければ前記第２不正検出用センサを保持できないように構成することにより、前記第２不正検出用センサの前記第２保持部１７３ｃへの装着保持姿勢を予め定められた一姿勢に限定してもよい。
【発明の効果】
【００１６】
本発明によれば、製造容易な磁気センサホルダを備えた遊技機を提供できる。
【図面の簡単な説明】
【００１７】
【図１】本発明の一実施形態を示すパチンコ機の全体正面図である。
【図２】同パチンコ機における遊技盤の正面図である。
【図３】同パチンコ機における裏ケース及び不正防止センサユニットの要部正面図である。
【図４】同パチンコ機における右普通入賞手段及びその近傍の側面断面図である。
【図５】同パチンコ機における上下の始動入賞手段、大入賞手段及びその近傍の側面断面図である。
【図６】（ａ）は同パチンコ機における不正防止センサユニット及びその近傍の平面断面図であり、（ｂ）は同パチンコ機における不正防止センサユニット及びその近傍の平面断面図である。
【図７】同パチンコ機における不正防止センサユニットの取付状態を示す分解斜視図である。
【図８】本発明の一実施形態を示すパチンコ機における制御系のブロック図である。
【図９】（ａ）は同パチンコ機におけるセンサホルダの正面図であり、（ｂ）は同パチンコ機におけるセンサホルダの背面図である。
【図１０】（ａ）は同パチンコ機におけるセンサホルダの底面図であり、（ｂ）は同パチンコ機におけるセンサホルダのＡ−Ａ断面図である。
【図１１】（ａ）は同パチンコ機におけるセンサホルダのＢ−Ｂ断面図であり、（ｂ）は同パチンコ機におけるセンサホルダのＤ−Ｃ断面図である。
【図１２】（ａ）は同パチンコ機におけるセンサホルダのＤ−Ｄ断面図であり、（ｂ）は同パチンコ機におけるセンサホルダのＥ−Ｅ断面図であり、（ｃ）は同パチンコ機におけるセンサホルダの射出成型時における型枠内での斜視図である。
【図１３】同パチンコ機におけるセンサホルダの斜視図である。
【図１４】同パチンコ機におけるセンサホルダの磁気センサ保持部の射出成型時における斜視図であり、（ａ）は型枠内における斜視図であり、（ｂ）はａ断面図であり、（ｃ）はｂ断面図である。
【発明を実施するための形態】
【００１８】
以下、本発明の実施形態を図面に基づいて詳述する。図１〜図８は本発明をパチンコ機に採用した一実施形態を例示している。図１において、遊技機本体１は、正面視矩形状の外枠２と、この外枠２の前側に左右一側、例えば左側のヒンジ３により開閉自在に枢着された前枠４とを備えている。前枠４の前側には、ガラス扉５と前面板６とが上下に隣接するように配置され、夫々ヒンジ３と同じ側のヒンジ７により前枠４に開閉自在に枢支されている。
【００１９】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々配置されている。更に、上皿８等を前側から覆う上皿カバー１１上には、演出用の操作ボタン１２，１３、球貸し操作部１４等が配置されている。
【００２０】
前枠４には、ガラス扉５の後側に対応して遊技盤１５（図２）が着脱自在に装着されている。図２に示すように、遊技盤１５の前面側には、発射手段から発射された遊技球を案内するガイドレール１６が環状に装着されると共に、そのガイドレール１６の内側の遊技領域１７に、センターケース１８、普通図柄始動手段１９、第１特別図柄始動手段２０、第２特別図柄始動手段２１、第１大入賞手段２２、第２大入賞手段２３、普通入賞手段２４等の各種遊技部品が配置されている。
【００２１】
センターケース１８は、例えば遊技領域１７の左右方向略中央における上部側に配置されており、遊技盤１５の裏側に固定される液晶式、その他の画像表示手段２５に対応して遊技盤１５の前側に着脱自在に固定されている。画像表示手段２５は、第１演出図柄表示手段２６、第２演出図柄表示手段２７、第１特別保留個数表示手段２８、第２特別保留個数表示手段２９等を構成している。
【００２２】
センターケース１８は、遊技盤１５の前面側に当接し且つ固定ねじ等により遊技盤１５に固定される前面装着板３２と、画像表示手段２５等に対応する内部領域１８ａを略取り囲むように例えば前面装着板３２の前側に突設される表示枠３３とを例えば一体に備えており、発射手段により遊技領域１７の上部側に打ち込まれた遊技球は、表示枠３３の頂部で左右に振り分けられ、センターケース１８の左側の左流下経路３４ａと右側の右流下経路３４ｂとの何れかを流下するようになっている。
【００２３】
また、例えば表示枠３３上には、普通図柄表示手段３５、普通保留個数表示手段３６、第１特別図柄表示手段３７、第２特別図柄表示手段３８等の表示手段の他、例えば左側部には遊技球が入球可能なワープ入口３９が、画像表示手段２５の前側下部には、ワープ入口３９に入球した遊技球を左右方向に自由に転動させて左右方向中央の中央落下部４０又はその左右両側から落下させるステージ４１が夫々設けられている。
【００２４】
普通図柄始動手段１９は、普通図柄表示手段３５による図柄変動を開始させるためのもので、遊技球が通過可能な通過ゲートにより構成され、遊技球の通過を検出する遊技球検出手段（近接センサ）１９ａを備えている。この普通図柄始動手段１９は例えばセンターケース１８の右側に配置されており、左流下経路３４ａを流下してきた遊技球よりも右流下経路３４ｂを流下してきた遊技球の方が圧倒的に高い確率で通過可能となっている。
【００２５】
普通図柄表示手段３５は、普通図柄を変動表示するためのもので、例えば「○」「×」の２種類の普通図柄に対応する２個の発光体（例えばＬＥＤ）により構成されており、普通図柄始動手段１９が遊技球を検出すること、即ち遊技球が普通図柄始動手段１９を通過し、その遊技球を遊技球検出手段（近接センサ）１９ａが検出することを条件に２個の発光体が所定時間交互に点滅して、普通図柄始動手段１９による遊技球検出時に取得された当たり判定乱数値が予め定められた当たり判定値と一致する場合には当たり態様（所定態様）に対応する「○」側の発光体が発光した状態で、それ以外の場合には外れ態様に対応する「×」側の発光体が発光した状態で、点滅が終了するようになっている。
【００２６】
また、普通図柄表示手段３５の変動表示中、又は後述する当たり遊技中に普通図柄始動手段１９が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３６がその発光個数により当たり判定乱数値の記憶個数（以下、普通保留個数という）を表示して、その時点での普通保留個数を遊技者に報知するようになっている。
【００２７】
第１特別図柄始動手段２０は、第１特別図柄表示手段３７による図柄変動を開始させるためのもので、例えば開閉手段を有しない非開閉式の入賞手段により構成され、入賞した遊技球を検出する遊技球検出手段（近接センサ）２０ａを備えている。この第１特別図柄始動手段２０は、例えばセンターケース１８の中央落下部４０の下側に上向き開口状に配置されており、左流下経路３４ａ側のワープ入口３９からステージ４１を経て入賞するルートが存在すること等により、右流下経路３４ｂを流下してきた遊技球よりも左流下経路３４ａを流下してきた遊技球の方が高い確率で入賞可能となっている。
【００２８】
第２特別図柄始動手段２１は、第２特別図柄表示手段３８による図柄変動を開始させるためのもので、開閉手段４２の作動によって遊技球が入賞可能な開状態と入賞不可能（又は開状態よりも入賞困難）な閉状態とに変化可能な開閉式入賞手段により構成され、入賞した遊技球を検出する遊技球検出手段（近接センサ）２１ａを備えており、普通図柄表示手段３５の変動後の停止図柄が当たり態様（所定態様）となった場合に、開閉手段４２が所定時間閉状態から開状態に変化するようになっている（当たり遊技）。この第２特別図柄始動手段２１は、例えば第２特別図柄始動手段２１の下側に配置されており、釘配置等により、左流下経路３４ａを流下してきた遊技球よりも右流下経路３４ｂを流下してきた遊技球の方が高い確率で入賞可能となっている。
【００２９】
第１特別図柄表示手段３７は、１個又は複数個、例えば１個の第１特別図柄を変動表示可能な７セグメント式等の表示手段により構成されており、第１特別図柄始動手段２０が遊技球を検出すること、即ち遊技球が第１特別図柄始動手段２０に入賞し、遊技球検出手段（近接センサ）２０ａがその遊技球を検出することを条件に第１特別図柄を所定時間変動表示して、第１特別図柄始動手段２０による遊技球検出時に取得された大当たり判定乱数値が予め定められた大当たり判定値と一致する場合には一又は複数種類の大当たり態様（第１特別態様）の何れかで、それ以外の場合には一又は複数種類の外れ態様の何れかで夫々停止するようになっている。
【００３０】
第２特別図柄表示手段３８は、１個又は複数個、例えば１個の第２特別図柄を変動表示可能な７セグメント式等の表示手段により構成されており、第２特別図柄始動手段２１が遊技球を検出すること、即ち遊技球が第２特別図柄始動手段２１に入賞し、遊技球検出手段（近接センサ）２１ａがその遊技球を検出することを条件に第２特別図柄を所定時間変動表示して、第２特別図柄始動手段２１による遊技球検出時に取得された大当たり判定乱数値が予め定められた大当たり判定値と一致する場合には一又は複数種類の大当たり態様（第２特別態様）の何れかで、それ以外の場合には一又は複数種類の外れ態様の何れかで夫々停止するようになっている。
【００３１】
なお、第１，第２特別図柄には数字図柄等を用いてもよいが、遊技者が停止図柄態様の種類を容易に区別できないように、任意の線や点の組み合わせのような特別な意味を持たない図柄を用いることが望ましい。
【００３２】
また、第１，第２特別図柄の変動表示中、又は後述する大当たり遊技（特定遊技）中に第１，第２特別図柄始動手段２０，２１が遊技球を検出した場合には、その検出時に取得された大当たり判定乱数値等がそれぞれ所定の上限保留個数、例えば各４個を限度として記憶されると共に、第１，第２特別保留個数表示手段２８，２９が夫々大当たり判定乱数値の記憶個数（以下、第１，第２特別保留個数という）を表示して、その時点での第１，第２特別保留個数を遊技者に報知するようになっている。図中２８ａ，２８ｂは、第１，第２保留表示画像である。
【００３３】
なお本実施形態では、大当たり遊技中には第１，第２特別図柄表示手段３７，３８の図柄変動を開始しない他、第１，第２特別図柄表示手段３７，３８の何れか一方の図柄変動中には他方の図柄変動を開始せず、両方が同時に変動中となることはないように制御される。更に、第１，第２特別図柄表示手段３７，３８が共に図柄変動を開始可能な状態となった場合には、第１特別図柄表示手段３７の図柄変動よりも第２特別図柄表示手段３８の図柄変動を優先して行うように制御される。
【００３４】
第１，第２演出図柄表示手段２６，２７は、第１，第２特別図柄表示手段３７，３８の図柄変動を演出するもので、それぞれ１個又は複数個、例えば左右方向に３個の第１，第２演出図柄を例えば各種の演出画像と共に画像表示手段２５の表示画面２５ａに変動表示可能に構成されており、第１演出図柄表示手段２６は第１特別図柄表示手段３７による第１特別図柄の変動と時間的に同期して第１演出図柄を変動させ、第２演出図柄表示手段２７は第２特別図柄表示手段３８による第２特別図柄の変動と時間的に同期して第２演出図柄を変動させるようになっている。なお、第１，第２演出図柄表示手段２６，２７は第１，第２特別図柄の変動と同期することなく第１，第２演出図柄を独自に変動させ又はその他の演出画像を表示させる場合があってもよい。
【００３５】
第１，第２演出図柄には、例えば「０」〜「９」の１０種類の数字図柄が用いられ、「６・６・６」、「７・７・７」等、３つの図柄が全て同じ図柄で揃ったものが大当たり態様、例えば少なくとも１つの図柄が異なるものが外れ態様となっており、例えば第１，第２特別図柄の停止図柄態様が大当たり態様／外れ態様のときは第１，第２演出図柄もそれに対応して大当たり態様／外れ態様で停止するようになっている。
【００３６】
第１，第２特別保留個数表示手段２８，２９は、夫々第１，第２特別保留個数を報知するもので、画像表示手段２５の表示画面２５ａ上の所定部分、例えば下部側に、第１，第２保留個数分の第１，第２保留表示画像２８ａ，２９ａを例えば互いに上下に対応させて表示するようになっている。
【００３７】
大当たり遊技中（ラウンド遊技中）に行われる大当たり演出（特定遊技演出）のうち、大当たり演出画像（特定遊技演出画像）の表示を大当たり演出表示という。この大当たり演出表示では、大当たり遊技中に、大当たりラウンド数、賞球獲得数等の各種情報と共にキャラクター等を用いた大当たり演出画像（特定遊技演出画像）を画像表示手段２５の表示画面２５ａに表示するようになっている。
【００３８】
第１大入賞手段２２は、開閉手段４３の作動によって遊技球が入賞可能な開状態と入賞不可能な閉状態とに変化可能な開閉式入賞手段により構成されており、第１，第２特別図柄表示手段３７，３８の何れかの変動後の停止図柄態様が大当たり態様（第１，第２特別態様）となった場合に所定の開放パターンに従って開放するようになっている。
【００３９】
第１大入賞手段２２の開閉手段４３は、例えば前向き開口状の入賞口に対応する横長矩形状の板状体で、下部側に設けられた左右方向の回転軸廻りに揺動可能となっており、閉状態のときには遊技盤１５の盤面に沿って入賞口を閉鎖し、開状態のときには上部側が遊技盤１５の盤面よりも前側に突出することにより後ろ下がりの傾斜状となってその上側に落下してきた遊技球を入賞口内に案内するようになっている。なお第１大入賞手段２２は、入賞した遊技球を検出する遊技球検出手段（近接センサ）４４を備えている。
【００４０】
第２大入賞手段２３は、開閉手段４５の作動によって遊技球が入賞可能な開状態と入賞不可能な閉状態とに変化可能な開閉式入賞手段により構成されており、第１，第２特別図柄表示手段３７，３８の何れかの変動後の停止図柄態様が大当たり態様（第１，第２特別態様）となった場合に所定の開放パターンに従って開放するようになっている。なお、第２大入賞手段２３は例えば右流下経路３４ｂ上で且つ普通図柄始動手段１９の下流側に配置されており、左流下経路３４ａを流下してきた遊技球よりも右流下経路３４ｂを流下してきた遊技球の方が高い確率で入賞可能となっている。
【００４１】
第２大入賞手段２３の開閉手段４５は、例えば遊技領域１７の中央側に向けて傾斜状に配置された板状体で、閉状態のときには遊技盤１５の盤面よりも前側に突出して、上向き開口状の入賞口を閉鎖すると共にその上側に落下してきた遊技球を遊技領域１７の中央側に向けて案内し、開状態のときには遊技盤１５の盤面よりも後側に退避して入賞口の上側を遊技球入賞可能に開放するようになっている。
【００４２】
また、第２大入賞手段２３は複数、例えば二つの特定領域４６ａ及び通常領域４６ｂと、第２大入賞手段２３に入賞した遊技球を特定領域４６ａと通常領域４６ｂとに振り分ける例えば可動式の振り分け手段４７と、特定領域４６ａに流入した遊技球を検出する特定遊技球検出手段（近接センサ）４８ａと、通常領域４６ｂに流入した遊技球を検出する通常遊技球検出手段（近接センサ）４８ｂとを備え、第２大入賞手段２３に入賞した遊技球は、振り分け手段４７によって特定領域４６ａと通常領域４６ｂとの何れかに案内され、特定遊技球検出手段（近接センサ）４８ａと通常遊技球検出手段（近接センサ）４８ｂとの何れかによって検出された後、遊技盤１５の裏側に案内されるようになっている。
【００４３】
特定領域４６ａと通常領域４６ｂとは例えば左右に隣接して配置されている。振り分け手段４７は、例えば特定領域４６ａと通常領域４６ｂとの間に対応してその上側に配置された爪状部材で、図示しない駆動手段の駆動により例えば前後方向の回転軸廻りに所定のパターンで揺動することにより、通常領域４６ｂ側への流入を阻止しつつ特定領域４６ａ側へ遊技球を案内する特定案内状態と、特定領域４６ａ側への流入を阻止しつつ通常領域４６ｂ側へ遊技球を案内する通常案内状態とに切り換え可能となっている。
【００４４】
大当たり遊技中に第２大入賞手段２３が開放し、その第２大入賞手段２３に入賞した遊技球が特定領域４６ａ側に案内された場合には、その大当たり遊技の終了後に後述する確変状態が発生し、通常領域４６ｂ側に案内された場合には同じく後述する時短状態が発生するようになっている。
【００４５】
なお、以下の説明では、必要に応じて第１大入賞手段２２と第２大入賞手段２３とを包括する「大入賞手段」の語を用いるものとする。
【００４６】
遊技領域１７には、普通入賞手段２４が設けられており、その普通入賞手段２４に入賞した技球が普通遊技球検出手段（近接センサ）９９ａ、９９ｂ、９８、９５により検出され、所定個数（例えば１０個）賞品球が払い出される。以上説明した各種遊技球検出手段１９ａ、２０ａ、２１ａ、４８ａ、４８ｂ、９９ａ、９９ｂ、９８は、近接センサで構成されている。近接センサは、例えばその一端側に正規の遊技球（直径１１ｍｍ）が通過可能な直径（例えば１２ｍｍ程度）に形成された略円形の検出孔を有し、高周波発振回路を構成するリング状の検出コイルがその検出孔を取り囲むように内蔵されており、遊技球が検出孔を通過する際の検出コイルのインピーダンス変化によって遊技球の通過を検出可能となっている。
【００４７】
次に、遊技の流れの概略を説明する。遊技機領域１７に打ち込まれた遊技球が第1特別図柄始動手段２０に入賞して遊技球検出手段（近接センサ）２０ａにより検出されれば、第1特別図柄表示手段３７が変動表示するとともに第1演出図柄表示手段２６が変動表示し、その後両者が停止する。
【００４８】
一方、遊技領域１７に打込まれた遊技球が普通図柄始動手段１９に入賞して遊技球検出手段（近接センサ）１９ａより検出された場合に、普通柄表示手段３５が変動表示した後停止し、その表示結果が予め定められた当りの表示結果となった場合に、第２特別図柄始動手段２１の開閉手段４２が開放し、遊技球が入賞容易となる。その第２特別図柄始動手段２１に入賞した遊技球が遊技球検出手段（近接センサ）２１ａにより検出された場合に、第２特別図柄表示手段３８および第２演出図柄表示手段２７が変動表示した後停止する。
【００４９】
これら表示手段３７、２６、３８、２７の表示結果が予め定められた大当りの表示結果となれば、第１大入賞手段２２の開閉手段４３が開放して大当り状態となり、その第１大入賞手段２２内に遊技球が入賞可能となる。入賞した遊技球は遊技球４４により検出される。開閉手段４３は、所定個数（例えば１９個）の遊技球の入賞または予定時間の経過の内早い方の条件が成立したときに閉じ、1ラウンドが終了する。
【００５０】
この大当り状態は、上記のようなラウンド遊技が所定回数（例えば１３回）繰り返される。このようなラウンド遊技における所定回数（例えば６回目）のラウンド遊技中においては、第２大入賞手段２３の開閉手段４５が開放し、遊技球が進入して振り分け手段４７により振り分けられ、特定領域４６ａまたは通常領域４６ｂのいずれかに入賞する。通常領域４６ｂに入賞した遊技機は特定遊技球検出手段（近接センサ）４８ａにより検出され、確変遊技が発動可能となる。その結果、第１大当り状態（ラウンド遊技状態）が終了した後、大当りの発生確率が向上した確変状態となる。この確変状態は、いわゆるスペシャルタイム（ＳＴ）と呼ばれる回数切りの確率変動状態であり、第１特別図柄表示手段３７や第２表示手段３８が所定回数（例えば８０回）変動表示を繰り返す最中に第１大当り状態が発生しなかった場合に終了する。なお、確変状態はスペシャルタイム（ＳＴ）に限定されるものではなく、一旦確変状態になれば第１大当りが発生するまでその確変状態が持続するものでもよい。
【００５１】
次に、図２を参照しながら主に図３を参照し、裏ケース１１９は、前側が開放した略箱形に形成され且つその略中央に画像表示手段２５の表示画面２５ａに対応する矩形状の開口部１２９が形成されており、画像表示手段２５等の後側を略覆うように遊技盤１５の裏側に装着され、その前端側に一体に設けられた固定部（取付固定板）１１９ａにおいてねじ止め等により遊技盤１５に固定されている。画像表示手段２５は、その表示画面２５ａを開口部１２９に一致させた状態で裏ケース１１９の背面側に着脱自在に固定されている。
【００５２】
図４を参照して、右側の普通入賞手段２４の構造を説明する。普通入賞手段２４は遊技盤１５に形成された装着孔１５ｂに挿入されて装着されている。普通入賞手段２４には、遊技領域１７に打込まれた遊技球が入賞可能な普通入賞口２４ａが設けられており、その普通入賞口２４ａに入賞した入賞球が遊技盤１５の裏面側に誘導され、遊技球検出手段（近接センサ）９９ｂの検出孔９９ｃに流下する。この検出孔９９ｃを流下する入賞球が遊技球検出手段（近接センサ）９９ｂにより検出され、所定個数（例えば１０個）の賞球が払い出される。
【００５３】
次に、図５に基づいて第１特別図柄始動手段２０と第２特別図柄始動手段２１と第１大入賞手段２２との構造を説明する。これら第１特別図柄始動手段２０と第２特別図柄始動手段２１と第１大入賞手段２２は、遊技領域１５に形成された装着孔１５ｃ，１５ｄに挿入されて装着されている。
【００５４】
第１特別図柄始動手段２０は、第１特別図柄始動入賞口２０ｂが設けられており、遊技領域１７に打込まれた遊技球がその第１特別図柄始動入賞口２０ｂに入賞すれば、その入賞球が遊技盤１５の裏面側に誘導されて遊技球検出手段（近接センサ）２０ａにより検出され、所定個数（例えば１０個）の賞球が払い出される。
【００５５】
第２特別図柄始動手段２１には、通常時閉じている開閉手段４２が設けられており、その開閉手段４２が左右に開成することにより、遊技領域１７内に打込まれた遊技球が第２特別図柄始動口２１ｂに入賞可能となる。その第２特別図柄始動口２１ｂに入賞した入賞球が遊技盤１５の裏面側に誘導されて遊技球検出手段（近接センサ）２０ｂにより検出され、所定個数（例えば１０個）の賞球が払い出される。
【００５６】
第１大入賞手段２２には、通常閉じている板状の開閉手段４３が設けられており、この開閉手段４３が開成することのより遊技球が第１大入賞手段２２内に入賞可能となる。第１大入賞手段２２内に入賞した入賞球は遊技盤１５の裏面側に誘導されて遊技球検出手段（近接センサ）４４により検出され、所定個数（例えば１５個）の賞球が払い出される。
【００５７】
図６（ａ）（ｂ）及び図７に示すように、裏ケース１１９にねじ止め固定された取付板１１９ａに不正防止センサユニット１２０がねじ１５０ａ、１５０ｂにより固定さられている。不正防止センサユニット１２０は、図７（ａ）（ｂ）及び図８に示すように、センサホルダ１７３に磁気センサ１７１と電波センサ１７２とが装着されて構成されている。
【００５８】
磁気センサ１７１は、ガラス窓５の前側に強力な磁石が押し当てられたような場合にその磁気を検知するためのもので、図８に示すように例えば長手方向の一端側に接続端子（図示省略）が設けられた略直方体状に形成されており、接続端子から所定の信号線を介して例えば主制御基板５１に磁気検知信号を出力するように構成されている。なお、この磁気センサ１７１は、その長手方向前側の検知距離が長手方向に直交する側の検知距離よりも長くなるように、即ち先端面側の方が側面側よりも検知感度が高くなるように構成されている。この磁気センサ１７１を遊技盤１５上又はその近傍に配置することで、例えば「大玉ゴト」の際に磁石を用いて不正球を所定の入賞口に誘導しようとした場合には、その時点でその不正行為を発見することが可能である。
【００５９】
電波センサ１７２は、近接センサの誤作動を引き起こすべく不正に照射された電波を検知するためのもので、図６（ａ）（ｂ）に示すように、例えば扁平な略直方体状に形成されたケース体内に収容され、アンテナ（図示省略）を含む電波検知回路が形成されたプリント基板（図示省略）と、例えばそのプリント基板上に装着され且つケース体の長手方向一端側に配置された接続端子（図示省略）とを備えており、接続端子から所定の信号線を介して例えば主制御基板５１に電波検知信号を出力するように構成されている。
【００６０】
この電波センサ１７２では、例えばそのケース体の表裏両面が電波検知面１８８となっており、プリント基板は、一対の電波検知面の間にそれらと平行（又は略平行）に配置されると共に一面側にアンテナ（図示省略）が例えばリング状の銅箔パターンとして形成されている。即ち、電波検知面は、電波センサ１７２におけるアンテナと平行な外表面上に設けられている。なお、図７中１１６は開口である。
【００６１】
続いて、本パチンコ機の制御系のうち、大玉ゴト等による不正入賞を監視するための構成について説明する。本実施形態の主制御基板５１には、各入賞手段２１，２２，２３，２４への遊技球の入賞に関する処理を行う入賞処理手段９１と、普通図柄表示手段３５、第１特別図柄表示手段３７、第２特別図柄表示手段３８の図柄変動に関する処理を行う図柄処理手段９２と、第２始動入賞手段２２の開閉手段４２、第１大入賞手段２２の開閉手段４３、第２大入賞手段２３の開閉手段４５および振り分け手段４７の動作に関する処理を行う役物処理手段９３とが設けられている。また、例えば入賞処理手段９１には、磁気センサ１７１、電波センサ１７２からの検知信号に基づいて不正行為の蓋然性の高い異常を監視する異常監視手段９４が設けられている。
【００６２】
入賞処理手段９１は、各入賞手段２１，２２，２３，２４に対応する近接センサ１９ａ,２０ａ,２１ａ，４４,９９ａ,９９ｂ,９５,９８からの検出信号に基づいて、それら入賞手段２１，２２，２３，２４への遊技球の入賞の有無を判定し、入賞があったと判定された場合には、払出制御基板（図示省略）へ払出コマンドを送信して賞球の払い出し等の入賞処理を実行するようになっている。なお、この入賞処理においては、作動式の入賞手段である第２始動入賞手段２１と第１大入賞手段２２と第２大入賞手段２３とに関しては、遊技球が入賞不可能な閉状態中については近接センサ２１ａ,４４,４８ａ,４８ｂによる入賞検出を無視するようになっている。これにより、不正な電波照射によって近接センサ２１ａ等が誤作動し、大入賞手段２２,２３等が開放していないにも拘わらず入賞検出信号が発生した場合には、その入賞検出信号は無視されて不正行為者に賞球が払い出されることはない。
【００６３】
さらに、大入賞手段２２,２３等が開放していないにも拘わらず入賞検出信号が発生した場合には、異常監視手段９４により異常と判定され、異常監視手段９４から入賞異常信号がランプＬＥＤ基板８０および外部出力基板８１へ送信さる。入賞異常信号を受信したランプＬＥＤ基板８０はランプ８３およびＬＥＤ８４を点灯または点滅させて入賞異常が発生したことを遊技上の係員に報知する。その際、スピーカによる入賞異常が発生した旨を報知するべく異常監視手段９４から音発生基板（図示省略）に入賞異常信号を送信するようにしてもよい。また、入賞異常信号を受信したが外部出力基板８１は、外部出力端子８２から入賞異常信号を外部出力する。その出力先としては、ホール用管理コンピュータや幕板等に設けられた異常報知ランプ等である。
【００６４】
図柄処理手段９２は、普通図柄始動手段１９の近接センサ１９ａが遊技球を検出することに基づいて、普通図柄表示手段３５による普通図柄の変動処理を実行し、また第１始動入賞手段２０の近接センサ２０ａ又は第２始動入賞手段２１の近接センサ２１ａが遊技球を検出することに基づいて、第１特別図柄表示手段３７による特別図柄の変動処理を行うようになっている。
【００６５】
役物処理手段９３は、普通図柄表示手段３５の変動後の停止図柄が当たり態様となって普通利益状態が発生したときに、第２始動入賞手段２１を所定のパターンで開放させ、また第１特別図柄表示手段３７または第２特別図柄表示手段３８の変動後の停止図柄が大当たり態様となって特別利益状態が発生したときに、第１大入賞手段２２を所定のパターンで開放させる（例えば開放した後閉成するラウンド遊技を１３ラウンドまで実行させる）ようになっている。
【００６６】
さらに、上記ラウンド遊技が所定回（例えば６回）に達すると、役物処理手段９３は、第２大入賞手段２３の開閉手段４５を開放して遊技球を第２大入賞手段２３内に受け入れるとともに振り分け手段４７を作動させて入賞球を特定領域または通常領域のいずれかに振り分ける。振り分けられた入賞球が特定遊技球検出手段（近接センサ）４８ａにより検出されれば、前述した確変状態を発動可能となる。入賞球が通常遊技球検出手段（近接センサ）４８ｂにより検出されれば、前述した確変状態は発動しない。
【００６７】
異常監視手段９４は、磁気センサ１７１から磁気検知信号を受けた場合、及び電波センサ１７２から電波検知信号を受けた場合に、所定のエラー処理、例えば画像表示手段２５へのエラー表示、ランプ８３およびＬＥＤ８４によるエラー報知、エラー警告音の出力、外部出力端子８２からのエラー信号出力等によるエラー報知、払い出し処理の停止等の処理を実行するようになっている。具体的には、異常監視手段９４から入賞異常信号をランプＬＥＤ基板８０、外部出力端基板８１、演出制御基板（図示省略）、払出制御基板、音発生基板へ送信する。入賞異常信号を受信したランプＬＥＤ基板８０はランプ８３およびＬＥＤ８４を点灯または点滅させて入賞以上が発生したことを遊技上の係員に報知する。入賞異常信号を受信した音発生基板はスピーカを鳴動させて入賞異常が発生した旨を報知する。入賞異常信号を受信した演出制御基板は画像表示手段２５によりエラー表示を行う。入賞異常信号を受信した外部出力基板８１は、外部出力端子８２から入賞異常信号を外部出力する。その出力先としては、ホール用管理コンピュータや幕板等に設けられた異常報知ランプ等である。入賞異常信号を受信した払出制御基板は、賞球の払い出しを停止する。
【００６８】
このような構成により、例えばいわゆる大玉ゴトが実行された場合、まず磁石を用いて不正球を普通入賞手段２４等の入賞口に誘導しようとすれば、その時点で磁気センサ７１からの磁気検知信号を受けた異常監視手段９４によってエラー処理が行われ、被害を未然に防止できる。
【００６９】
また、磁石による不正球の誘導が行われなかった場合でも、普通入賞手段２４等の近接センサに不正球が停留させられ、その近接スイッチに対して強力な電波が照射された時点で、その電波は電波センサ７２によって検知され、電波センサ７２からの電波検知信号を受けた異常監視手段９４によってエラー処理が実行されるため、大玉ゴトによる被害を未然に防止できる。
【００７０】
次に、図７、図９〜図１３に基づいてセンサホルダ１７３の構造を説明する。センサホルダ１７３は、後述するように、樹脂の射出成型で製造され、パチンコ遊技機側の取付板１１９ａへの取付基板部１７３ａと、電波センサ１７２を挿入して保持する電波センサ保持部１７３ｂと、磁気センサ１７１を挿入して保持する磁気センサ保持部１７３ｃとを有する。
【００７１】
図７に示すように、取付基板部１７３ａには、センサホルダ１７３を取付板１１９ａにねじ止めするためのねじ孔１００ａ、１００ｂが形成されている。また、取付基板部１７３ａには小穴１０２が形成されており、取付板１９０ａから突出した位置決め突起１０２ａがその小穴１０２に挿入されて不正防止センサユニット１２０が取付板１９０ａに位置決めされる。位置決めされた状態で、ねじ孔１００ａ、１００ｂそれぞれにねじ１５０ａ、１５０ｂを挿入して取付板１９０ａにねじ込んで、不正防止センサユニット１２０をパチンコ遊技機側に固定する。さらに、取付基板部１７３ａには、小穴１０２が形成されているとともに、矩形の開口１０４が形成されている（図７参照）。取付基板部１７３ａにおける遊技盤１５への接触面（以下「接触面１０８ａ」という）とは反対側の面（以下「反対側面１０８ｂ」という）における開口１０４に対応する位置に、門型部１０６が形成されている。
【００７２】
電波センサ保持部１７３ｂは、電波センサ１７２の略直方体形状に合わせて略箱状に形成されており、取付基板部１７３ａの上記反対側面１０８ｂから垂直に伸びて形成されている。この電波センサ保持部１７３ｂは、電波センサ１７２を第１方向ａ（図１０（ａ）参照）に向けて保持するものであり、係止部１１０により電波センサ１７２を係止して保持する。この係止部１１０は、箱状の電波センサ保持部１７３ｂの底面部の両端部分が第１方向ａに沿って切り欠かれた状態で形成され、第１方向に長い長尺状の形状に構成されている。その係止部１１０の先端が鉤状に形成されており、図１１（ｂ）に示すように、電波センサ１７２を挿入することにより、係止部１１０が下方に弾性変形し、電波センサ１７２が奥まで達したときに電波センサ１７２の端部が係止部１１０の鉤状の部位に係止される。なお、電波センサ１７２はコーナ部分の一か所が斜めに所が切り取られた斜面部１２２が形成されており、その斜面部１２２と電波センサ保持部１７３ｂ側の斜面部１２８と当接するまで電波センサ１７２が挿入されることにより、鉤状の部位が電波センサ１７２の端部に係止可能となる。よって、両斜面部１２２、１２８が当接する所定の姿勢で電波センサ１７２を電波センサ保持部１７３ｂに挿入しない限り電波センサ１７２は係止保持されない。これにより、電波センサ７２の装着姿勢を予め定められた一姿勢に限定することができる。
【００７３】
また、電波センサ保持部１７３ｂが設けられている取付基板部１７３ａには開口１１６が形成されており（図７参照）、係止部１１０の鉤状の部位からセンサホルダ１７３の第１方向ａでの端部位置までに亘って第１方向ａに沿って障害物のない連通空間が形成されている。
【００７４】
磁気センサ保持部１７３ｃは、磁気センサ１７１の略直方体形状に合わせて形成されている。図１０（ａ）に示すように、磁気センサ１７１を第２方向ｂに向けて保持するものであり、係止部１１２により磁気センサ１７１を係止して保持する。この係止部１１２は第２方向ｂに沿って長い長尺状のものであり、その係止部１１２の先端が鉤状に形成され、磁気センサ１７１の端部に当接して第２方向の移動を阻止する第２方向係止部１１２ａと、磁気センサ１７１の端部側面に当接して第２方向と直行する方向の移動を阻止するための直行方向係止部１１２ａとが形成されている（図９（ａ）、図１２（ａ）（ｂ）参照）。さらに、磁気センサ保持部１７３ｃには、磁気センサ１７１の端部側面に当接して第２方向と直行する方向の移動を阻止するための当接部１２１、１３６が形成されており、これら当接部１１４、１２１、１３６と直行方向係止部１１２ａとにより、磁気センサ１７１の第２方向と直行する方向での固定がなされる。
【００７５】
図１２（ａ）（ｂ）に示すように、磁気センサ１７１を挿入することにより、係止部１１２が下方に弾性変形し、磁気センサ１７１が奥まで達したときに磁気センサ１７１の端部が第２方向係止部１１２ａに係止されるとともに、磁気センサ１７１の端部側面が直行方向係止部１１２ｂに係止される。なお、磁気センサ１７１はコーナ部分の一か所が斜めに所が切り取られた斜面部１２４が形成されており、その斜面部１２４端部と磁気センサ保持部１７３ｃ側の斜面部１１８端部とが当接するまで磁気センサ１７１が挿入されることにより、係止部１１２が磁気センサ１７１の端部及び端部側面に係止可能となる。よって、両斜面部１２４、１１８の端部同士が当接する所定の姿勢で磁気センサ１７２を磁気センサ保持部１７３ｃに挿入しない限り磁気センサ１７１は係止保持されない。これにより、磁気センサ７１の装着姿勢を予め定められた一姿勢に限定することができる。
【００７６】
また、磁気センサ保持部１７３ｃが設けられている取付基板部１７３ａには開口１４６が形成されており、当接部１３６からセンサホルダ１７３の第１方向ａでの端部位置までに亘って第１方向ａに沿って障害物のない連通空間が形成されている。また、第２方向係止部１１２ａおよび直行方向係止部１１２ａからセンサホルダ１７３の第１方向ａでの端部位置までに亘って第１方向ａに沿って障害物のない連通空間が形成されている。このような構造により、図１２（ｃ）、図１４に示すように、センサホルダ１７３を射出成型する場合に、射出成型用の両金型１３０ａ、１３０ｂの移動方向（矢印参照）を第１方向ａに合わせることにより、電波センサ保持部１７３ｂばかりでなく磁気センサ保持部１７３ｃも、コア１６１およびキャビティ１６０（図１４（ｂ）（ｃ）参照）が連通空間を通して、第１方向ａと交差する部位（当接部１２１、１３６、第２方向係止部１１２ａ、直行方向係止部１１２ａ）に達するため、両保持部を一度の射出工程で成型でき、製造容易となる。
【００７７】
次に、図１２（ｃ）、図１４に基づいてセンサホルダ１７３の射出成型を説明する。センサホルダ１７３を樹脂の射出成型で製造する場合には以下の工程を経て成型される。
（１）両金型１３０ａ、１３０ｂを合わせて締める型締め工程
（２）加熱溶融した樹脂等の材料を金型１３０ａ、１３０ｂ内に射出注入する射出工程
（３）圧力を加えて材料を金型１３０ａ、１３０ｂ内に押し込む保圧工程
（４）溶融した材料を冷却する冷却工程
（５）両金型を開く型開き工程
（６）製品の取り出し工程
【００７８】
図１２は上記（４）の冷却工程を経て金型１３０ａ、１３０ｂ内でセンサホルダ１７３が形成されている状態を示す斜視図である。図１４は、センサホルダ１７３における電波センサ保持部１７３ｂを省略し磁気センサ保持部１７３ｃのみを示した図であり、（ａ）は冷却工程を経て金型１３０ａ、１３０ｂ内で磁気センサ保持部１７３ｃが形成されている状態を示す斜視図であり、（ｂ）は型開き工程でのａ断面図であり、（ｃ）は型開き工程でのｂ断面図である。
【００７９】
図１２（ａ）に示すように、両金型１３０ａ、１３０ｂの移動方向（矢印ｃ、ｄ）は、電波センサ保持部１７３ｂが電波センサ１７２を保持する向きである第１方向ａに沿った方向である。これより、電波センサ保持部１７３ｂおよび取付基板部１７３ａの成形は従前どおり容易にできる。
【００８０】
一方、磁気センサ保持部１７３ｃについては、磁気センサ１７１を保持する向きである第２方向ｂと両金型１３０ａ、１３０ｂの移動方向ｃ、ｄとが斜めに交差するため、その形状に工夫が必要となる。つまり、両金型１３０ａ、１３０ｂの移動方向ｃ、ｄ（即ち第１方向ａ）に交差する部位（例えば第２方向係止部１１２ａ、直行方向係止部１１２ｂ、当接部１１４、１２１、１３６）からセンサホルダ１７３の第１方向ａでの端部位置までに亘って、第１方向ａに沿って障害物のない連通空間を形成し、左右から移動して来て締めつける金型１３０ａ、１３０ｂのコア１６０とキャビティ１６１とが連通空間を通ってそれら部位にまで到達できるようにしなければならない。
【００８１】
図１４（ｂ）に示すように、当接部１３６の図面右側には開口１４６が形成されており、金型１３０ｂのキャビティ１６１における当接部成形用凸部１３６ｋがその開口１４６から進入して連通空間を通って当接部１３６にまで到達する。
【００８２】
当接部１２１の図面左側は障害物のない開放された形状となっており、当接部１２１からセンサホルダ１７３の第１方向ａでの端部位置までに亘って、第１方向ａに沿って障害物のない連通空間が形成されている。金型１３０ａの当接部成形用凸部１２１ｋがその連通空間を通って当接部１２１にまで到達する。
【００８３】
当接部１１４の図面左側は障害物のない開放された形状となっており、当接部１１４からセンサホルダ１７３の第１方向ａでの端部位置までに亘って、第１方向ａに沿って障害物のない連通空間が形成されている。金型１３０ａの当接部成形用凸部１１４ｋがその連通空間を通って当接部１１４にまで到達する。
【００８４】
第２方向係止部１１２ａおよび直行方向係止部１１２ｂが形成された係止部１１２の図面右側は障害物のない開放された形状となっており、係止部１１２からセンサホルダ１７３の第１方向ａでの端部位置までに亘って、第１方向ａに沿って障害物のない連通空間が形成されている。金型１３０ｂの係止部成形用凸部１１２ｋがその連通空間を通って係止部１１２にまで到達する。
【００８５】
以上のように構成することにより、磁気センサ保持部１７３ｃについて、磁気センサ１７１を保持する向きである第２方向ｂと両金型１３０ａ、１３０ｂの移動方向ｃ、ｄとが斜めに交差するにもかかわらず、磁気センサ１７１を係止保持可能な形状のものが成形できる。つまり、第１不正検出用センサを第１方向に向けて保持する第１保持部と、第２不正検出用センサを前記第１方向に対し斜めの第２方向に向けて保持する第２保持部と、を有するセンサホルダを射出成型する場合に、第２保持部における第１方向と交差する部位にまで、金型に形成された成形用凸部が到達する必要があるが、射出成型用の両金型の移動方向を第１方向に合わせることにより、第１保持部ばかりでなく第２保持部も、成形用凸部が連通空間を通して、第１方向と交差する部位にまで達するため、一度の射出工程で両保持部を成型でき、製造容易となる。
【００８６】
次に変形例を列記する。
【００８７】
（１）  以上説明した実施の形態では、センサホルダ１７３に電波センサ１７２と磁気センサ１７１とを装着したものを説明したが、それに限らず、磁気センサ１７１同士または電波センサ１７２同士をセンサホルダ１７３に装着してもよい。さらに、電波センサと磁気センサとを含む不正検出用センサを装着する数は２個に限らず、３個以上であってもよい。
【００８８】
（２）  また、電波センサ保持部１７３ｂによる保持方向ａと磁気センサ保持部１７３ａによる保持方向ｂとの交差角度は、４５度に限らず、９０度よりも鋭角であればどのような角度であってもよい。また「交差」とは、保持方向ａとｂとを表す線が或る一点で実際に交わるものに限定されず、両方向線が距離を隔てて立体的に交差するものも含む概念である。
【００８９】
（３）  パチンコ機に設ける不正防止センサユニット１２０の数は、１個に限らず２個以上でああってもよい。また、取付ける部位は裏ケース１１９の固定部１１９ａに限らず、遊技盤１５の裏面側であればどこでもよい。
【００９０】
以上、本発明の実施形態について詳述したが、本発明はこれらの実施形態に限定されるものではなく、本発明の趣旨を逸脱しない範囲で種々の変更が可能である。
【００９１】
なお、実施形態ではパチンコ遊技機について例示したが、アレンジボール機、雀球遊技機等の他の遊技機においても同様に実施可能であることはいうまでもない。
【符号の説明】
【００９２】
１５      遊技盤
１７      遊技領域
１９      裏ケース（遊技部品）
１７１    磁気センサ
１７２    電波センサ
１７３    センサホルダ
１７３ａ  取付基板部
１７３ｂ  電波センサ保持部
１７３ｃ  磁気センサ保持部
１１６    開口
１０４    開口
１１２ａ  第２方向係止部
１１２ｂ  直行方向係止部
８８      電波検知面
１１０，１１２  係止部
２０ａ，２１ａ，４４，４８ａ，４８ｂ，９９ａ，９９ｂ，９５，９８  近接センサ（遊技球検出手段）
１２２，１２８，１２４，１１８  斜面部
【図１】
2016140705.tif 000003
【図２】
2016140705.tif 000004
【図３】
2016140705.tif 000005
【図４】
2016140705.tif 000006
【図５】
2016140705.tif 000007
【図６】
2016140705.tif 000008
【図７】
2016140705.tif 000009
【図８】
2016140705.tif 000010
【図９】
2016140705.tif 000011
【図１０】
2016140705.tif 000012
【図１１】
2016140705.tif 000013
【図１２】
2016140705.tif 000014
【図１３】
2016140705.tif 000015
【図１４】
2016140705.tif 000016